(57)【特許請求の範囲】
【請求項１】
透過性のあるシートに波長の異なる光を切り換えて投光させ、
第１表示と第２表示を行わせる可変表示構造であって、
前記シートに施され、第１透過帯域の光源の波長を透過させて前記第１表示を構成する第１印刷部分と、
前記シートに施され、第１透過帯域と帯域が重複しない第２透過帯域の光源の波長を透過させて前記第２表示を構成する第２印刷部分と、
前記シートに施され、第１透過帯域と第２透過帯域の光源の波長を透過させない第３印刷部分と、
前記第１表示と前記第２表示の重複する部分と重なる部分で、第１透過帯域と第２透過帯域の光源の光を抑制して輝度及び色度を調整し、前記第１表示および前記第２表示を構成する調光印刷部と、
前記第１透過帯域の波長で、且つ波長が異なる複数の発光を行なう第１光源と、
前記第２透過帯域の波長で、且つ波長が異なる複数の発光を行なう第２光源を備えた、
ことを特徴とする可変表示構造。
【請求項２】
請求項１に記載の可変表示構造において、
前記第１光源又は前記第２光源の発光は、同じ透過帯域の波長で、且つ互いの波長が異なる複数の光源を同時に発光させるものである、
ことを特徴とする可変表示構造。
【請求項３】
請求項１又は請求項２に記載の可変表示構造において、
第１光源又は第２光源は、
それぞれの透過帯域に属する発光で、且つ波長を変更して発光するものである、
ことを特徴とする可変表示構造。
【発明の詳細な説明】
【技術分野】
【０００１】
本発明は、同一表示面に異なる表示を切り換えて表示させる可変表示構造の技術分野に属する。
【背景技術】
【０００２】
従来においては、第１波長領域の青色光を通過させる第１領域、第２波長領域の緑色光を通過させる第２領域、背景を形成するその他の領域を箔シート後面にプリント印刷し、後方から、青色光の第１光源と緑色光の第２光源で照明している（例えば、特許文献１参照。）。
【特許文献１】特開２００１−１００６７９号公報（第２−８頁、全図）
【発明の開示】
【発明が解決しようとする課題】
【０００３】
しかしながら、従来にあっては、光源の点灯時に２つの意匠のうちどちらかが表示されているが、一方の意匠の表示中に状態変化などを表すには、別にインジケータ等を設ける必要があり、コスト、表示の一部を損なうなどのデメリットが生じてしまっていた。
【０００４】
本発明は、上記問題点に着目してなされたもので、その目的とするところは、表示を行いながら、色の変化により状態変化を表示できる可変表示構造を提供することにある。
【課題を解決するための手段】
【０００５】
上記目的を達成するため、本発明では、透過性のあるシートに波長の異なる光を切り換えて投光させ、第１表示と第２表示を行わせる可変表示構造であって、前記シートに施され、第１透過帯域の光源の波長を透過させて前記第１表示を構成する第１印刷部分と、前記シートに施され、第１透過帯域と帯域が重複しない第２透過帯域の光源の波長を透過させて前記第２表示を構成する第２印刷部分と、前記シートに施され、第１透過帯域と第２透過帯域の光源の波長を透過させない第３印刷部分と、前記第１表示と前記第２表示の重複する部分と重なる部分で、第１透過帯域と第２透過帯域の光源の光を抑制して輝度及び色度を調整し、前記第１表示および前記第２表示を構成する調光印刷部と、前記第１透過帯域の波長で、且つ波長が異なる複数の発光を行なう第１光源と、前記第２透過帯域の波長で、且つ波長が異なる複数の発光を行なう第２光源を備えた、ことを特徴とする。
【発明の効果】
【０００６】
よって、本発明にあっては、表示を行いながら色の変化により状態変化を表示することができる。
【発明を実施するための最良の形態】
【０００７】
以下、本発明の可変表示構造を実現する実施の形態を、実施例１に基づいて説明する。
【実施例１】
【０００８】
まず、構成を説明する。
図１は実施例１の可変表示構造を示す断面図である。図２は実施例１の可変表示構造のカラーフィルタの正面図である。図３は図２のＡ−Ａ断面図である。
実施例１は可変表示構造を押して入力を行うスイッチに用いている。
【０００９】
スイッチ１は、まず、矩形枠状のスイッチフィニッシャ２の内部に矩形枠状のガイドハウジング７を設ける（図１参照）。
ガイドハウジング７には、矩形枠状のスイッチフィニッシャ２の開口面から開口面へ向かう方向、つまり、前後面に摺動可能なレール部分を設ける。
スイッチフィニッシャ２及びガイドハウジング７の背面側には、開口を塞ぐ板状の基板６を設ける。
基板６の前面側、つまりスイッチフィニッシャ２の内部側には、波長が約５００nmをピークとする第１光源３ａと、波長が約４７０nmをピークとする第３光源３ｂと、波長が約６００nmをピークとする第２光源４ａ、波長が約６４０nmをピークとする第４光源４ｂ（各光源の波長特性については図５参照）、押されることによりON/OFFの操作入力を行うタクトスイッチ５を設ける。
【００１０】
第１光源３ａ〜第４光源４ｂとしては、異なる色を発光するLEDがコスト抑制、メンテナンス性から好ましいが、別のものであってもよい。
【００１１】
なお、実施例１では、第１光源３ａ〜第４光源４ｂまで、４つの光源を別体で設けたが、制御回路との組合せにより複数波長の色で発光するLED等を用いて光源を１つとしてもよい。
次に内外で２重の枠部分を有するスライダ８を設ける。スライダ８の内部の枠部分は、第１光源３ａや第２光源４ａ側に行くに従って角錐状に内側が狭くなる形状にする。また、スライダ８の内側の枠形状部分は後方に延長し、第１光源３ａ〜第４光源４ｂの側方を覆うようにする。
さらに、スライダ８の内側の枠形状部分の下方傾斜面には、下方に突出する形状の係合部８ａを設ける。係合部８ａの位置は、下方に移動するとタクトスイッチ５と係合する位置にする。
スライダ８の内側枠部分の前面部分には、カラーフィルタ１０を設ける。
カラーフィルタ１０の前面部分には、消灯時に外光によって印刷パターンが見えてしまうのを防ぐために全体的に透光性が低くされたスモークレンズ１１を設ける。
【００１２】
ここで、スモークレンズ１１、カラーフィルタ１０を取り付けたスライダ８を、ガイドハウジング７のレール部分に係合させて前後に摺動自在にする。
これにより、スライダ８をタクトスイッチ５に向かって押すと、スライダ８が摺動して傾斜面から下方に突出する形状の係合部８ａがタクトスイッチ５を押す構造にする。
また、押された後に、自由状態にすると、タクトスイッチの反力で戻る構造にする。
【００１３】
カラーフィルタ１０は、図２に示すように、透明なシート１０ｅ前面に、第１印刷部分１０ａ、第２印刷部分１０ｂ、調光印刷部分１０ｃ（調光印刷部分）、背景印刷部分１０ｄを設ける。
ここで、第１表示１２を図４(a)に示すように文字の「Ａ」、第２表示１３を図４(b)に示すように文字の「Ｅ」とする。
第１印刷部分１０ａは、第１表示１２である「Ａ」の第２表示１３「Ｅ」と重ならない図２の部分であり、赤色光を通過させる赤い色の印刷である。この第１印刷部分１０ａの波長に対する透過効率の特性は、図５の線２５で示す特性となる。
【００１４】
第２印刷部分１０ｂは、第２表示１３である「Ｅ」の第１表示１２「Ａ」と重ならない図２の部分であり、青色光を通過させる青い色の印刷である。この第２印刷部分１０ｂの波長に対する透過効率の特性は、図５の線２６で示す特性となる。
調光印刷部分１０ｃは、第１表示１２の「Ａ」と第２表示１３の「Ｅ」とが重なった部分である。調光印刷部分１０ｃは、波長に対する透過効率の特性として、図５の線２７に示す特性を有することによって、輝度と色みの両方において、調光を行う。
【００１５】
第１印刷部分１０ａと第２印刷部分１０ｂは、実際に表示する第１表示１２及び第２表示１３よりやや幅広く印刷しておく。つまり、印刷精度をやや緩和したものでよい。その上から黒い印刷である背景印刷部分１０ｄを印刷することにより、第１印刷部分１０ａと第２印刷部分１０ｂの外周縁位置が決まるようにする。
【００１６】
次に作用を説明する。
[表示作用]
(a)第１表示
実施例１において、第１表示１２を基準の状態で表示させるには、第２光源４ａを点灯させ、第１光源３ａ、第３光源３ｂ、第４光源４ｂを消灯する。
第２光源４ａから発せられる光は、スライダ８の内側枠で、第２光源４ａの側方に発散する光を前方に反射する。
このスライダ８の内側枠の内部空間を通るようにして、前面部分からカラーフィルタ１０に光が入光する。
【００１７】
シート１０ｅの前面における、第１印刷部分１０ａでは、図５に示すように第２光源４ａの光を通過させる（線２２と線２５で示す関係）ため、第１印刷部分１０ａが明るく表示する。
【００１８】
さらに、調光印刷部分１０ｃでは、図５の波長に対する透過効率の関係において、第２光源４ａの光（線２２）で示される特定波長域の透過特性が、第１印刷部分１０ａ（線２５）と調光印刷部分１０ｃ（線２７）で近似している。
この図５の線２５と線２７における近似の状態において、透過効率が近似していることにより、輝度が第１印刷部分１０ａと調光印刷部分１０ｃで近似し、特定波長域が近似していることにより、色みが第１印刷部分１０ａと調光印刷部分１０ｃで近似する。
【００１９】
一方、第２印刷部分１０ｂは、図５において、第２光源４ａの特性（線２２）に対して線２６で示す特性になるため、第２光源４ａの光は通過できない。
また、背景印刷部分１０ｄは、第１光源３ａ〜第４光源４ｂの光のいずれも通過させない。
これにより、第１表示１２、つまり図４(a)に示す「Ａ」が表示されることになる。
【００２０】
(b)第１表示の状態変化（表示色の変化）
実施例１では、上記説明した第２光源４ａの点灯による第１表示１２から、第４光源４ｂの点灯へ切り換えることにより、第１表示１２の色を変更できる。
この変更は、第２光源４ａの点灯状態から第４光源４ｂの点灯状態へ徐々に変更してもよいし、第２光源４ａと第４光源４ｂを同時に点灯させ、その後に第４光源４ｂの点灯状態にしてもよい。また、同時点灯状態を第３の状態表示として用いてもよい。ここでは、第４光源４ｂ点灯状態における表示作用を説明する。
【００２１】
実施例１において、第１表示１２を異なる色で表示させるには、第４光源４ｂを点灯させ、他の光源を消灯する。
すると、第１印刷部分１０ａと第４光源４ｂとの関係は、図５の線２４と線２５の関係となるため、第１印刷部分１０ａが明るく表示される。
さらに、調光印刷部分１０ｃでは、図５の波長に対する透過効率の関係において、第４光源４ｂの光（線２４）で示される特定波長域の透過特性が、第１印刷部分１０ａ（線２５）と調光印刷部分１０ｃ（線２７）で近似している。
【００２２】
この図５の線２５と線２７における近似の状態において、透過効率が近似していることにより、輝度が第１印刷部分１０ａと調光印刷部分１０ｃで近似し、特定波長が近似していることにより、色みが第１印刷部分１０ａと調光印刷部分１０ｃで近似する。
一方、第２印刷部分１０ｂと第４光源４ｂとの関係は、図５において、線２４と線２６の関係となるため、第４光源４ｂの光は通過できない。
また、背景印刷部分１０ｄは第１光源３ａ〜第４光源４ｂの光をいずれも通過させない。
これにより、第１表示１２つまり、図４(a)に示す「Ａ」が第２光源４ａと、第４光源４ｂの発光色の違いにより、異なる表示色で表示されることになる。
なお、この２つの表示は、波長が近い２つの発光によるものであるため、近い色、例えば赤と橙のようになる。
【００２３】
(c)第２表示
実施例１において、第２表示１３を表示させるには、第１光源３ａを点灯させ、他の光源を消灯する。
すると、第２印刷部分１０ｂと第１光源３ａとの関係は、図５の線２１と線２６の関係となるため、第２印刷部分１０ｂが明るく表示される。
さらに、調光印刷部分１０ｃでは、図５の波長に対する透過効率の関係において、第１光源３ａの光（線２１）で示される特定波長域の透過特性が、第２印刷部分１０ｂ（線２６）と調光印刷部分１０ｃ（線２７）で近似している。
【００２４】
この図５の線２６と線２７における近似の状態において、透過効率が近似していることにより、輝度が第２印刷部分１０ｂと調光印刷部分１０ｃで近似し、特定波長が近似していることにより、色みが第２印刷部分１０ｂと調光印刷部分１０ｃで近似する。
一方、第１印刷部分１０ａと第１光源３ａとの関係は、図５において、線２１と線２５の関係となるため、第１光源３ａの光は通過できない。
また、背景印刷部分１０ｄは第１光源３ａ〜第４光源４ｂの光をいずれも通過させない。
これにより、第２表示１３つまり、図４(b)に示す「Ｅ」が表示されることになる。
【００２５】
(d)第２表示の状態変化（表示色の変化）
実施例１では、上記説明した第１光源３ａの点灯による第２表示１３から、第３光源３ｂの点灯へ切り換えることにより、第２表示１３の色を変更できる。
この変更は、第１光源３ａの点灯状態から第３光源３ｂの点灯状態へ徐々に変更してもよいし、第１光源３ａと第３光源３ｂを同時に点灯させ、その後に第３光源３ｂの点灯状態にしてもよい。また、同時点灯状態を第３の状態表示として用いてもよい。ここでは、第３光源３ｂ点灯状態における表示作用を説明する。
【００２６】
実施例１において、第２表示１３を、表示色を変更して表示させるには、第３光源３ｂを点灯させ、他の光源を消灯する。
すると、第２印刷部分１０ｂと第３光源３ｂとの関係は、図５の線２３と線２６の関係となるため、第２印刷部分１０ｂが明るく表示される。
さらに、調光印刷部分１０ｃでは、図５の波長に対する透過効率の関係において、第１光源３ａの光（線２３）で示される特定波長域の透過特性が、第２印刷部分１０ｂ（線２６）と調光印刷部分１０ｃ（線２７）で近似している。
【００２７】
この図５の線２６と線２７における近似の状態において、透過効率が近似していることにより、輝度が第２印刷部分１０ｂと調光印刷部分１０ｃで近似し、特定波長が近似していることにより、色みが第２印刷部分１０ｂと調光印刷部分１０ｃで近似する。
一方、第１印刷部分１０ａと第３光源３ｂとの関係は、図５において、線２３と線２５の関係となるため、第３光源３ｂの光は通過できない。
また、背景印刷部分１０ｄは第１光源３ａ〜第４光源４ｂの光をいずれも通過させない。
これにより、第２表示１３つまり、図４(b)に示す「Ｅ」が第１光源３ａと第３光源３ｂの発光色の違いによる異なる表示色で表示されることになる。
なお、この２つの表示は、波長が近い２つの発光によるものであるため、近い色、例えば青と水色のようになる。
【００２８】
[スイッチ作用]
実施例１では、操作する人がスモークレンズ１１を押すと、一体化したスライダ８が摺動し、スライダ８の一部８ａがタクトスイッチ５を押す。
スイッチ１としては、基板６に設けられる図示しない回路によって、どちらの表示状態において、タクトスイッチ５に入力があったかを判断し、２つの操作入力として使用する。これにより、１つのスイッチにおいて、異なるモードでの操作入力が可能となる。
さらに、その異なるモードでの操作入力において、モードの状態に変化がある場合には、それを色で表示することが可能となる。よって、操作者は、そのモードの状態を、インジケータ等を設けることなく、知ることができる。
【００２９】
[表示色の変更作用]
本実施例１では、同じ表示面において、第１表示１２と第２表示１３を切り換えて表示でき、さらに、それぞれの表示色を変更することができる。
つまり、図６に示すような、４つの表示を行うことができる。
実施例１のスイッチの例で説明すると、大きなモードの違いについては、第１表示１２と第２表示１３の文字、形状の違いで表示し、そのモードの中での状態の違いについては、表示色の違いで表示するのである。
これは、非常に有利な表示となる。なぜならば、モードの中での状態変化を他に表示するならば、操作者は、その２箇所を見なければ、モードの状態までを知って操作することができないのである。
本実施例１においては、スイッチの表示面のみを見れば、今どのモードなのか、そのモードの中でどのような状態になっているのかが一目で分かるのである。
さらに、別の表示を設けるのであれば、コストが増加してしまうが、本実施例１では、２つの光源の追加で済む。光源をLEDにした場合、コスト増は非常に抑制される。
【００３０】
さらに例を挙げて説明する。
図７に示すのは、実施例１の可変表示構造を車両用のエアコンに応用した例である。
図７の応用例では、エアコンが冷房状態なのか、暖房状態なのかを第１表示、第２表示に相当する形状と色の違いで表示する。
ここで、エアコンにおいては、空気温度を下げる冷房、又は空気温度を上げる暖房が進行中なのか、エアコンとして現在の空気温度を維持しているかを操作者が知ることは有用である。
操作者が非常に暑い又は寒いと感じている場合に、冷房または暖房が進行中であれば、設定を変更せずに待つ確率が高いことになる。
【００３１】
これと逆に、操作者が非常に暑い又は寒いと感じている場合に、その温度を維持しようとしているのであれば、設定変更を行なう確率が高いことになる。
このような表示をも本実施例１では可能になるのである。
しかも、その表示は、１箇所で行なわれるため、非常にわかりやすく、見やすいものとなる。複数個所の表示の組み合わせで初めて内容が分かるものよりも、一目でわかる方がよいからである。また、エアコンが車両用の場合、このように場所をとらず、一目でわかりやすい表示は非常に有利である。
【００３２】
また、状態により表示色を変更する際には、第１光源３ａと第３光源３ｂ、第２光源２ａと第４光源２ｂを同時に発光させるようにしてもよい。
実施例１では、第１光源３ａと第２光源３ｂ、第２光源２ａと第４光源２ｂを別体で設けているので、同時に発光させると、図８に示すように光源からの距離で表示色が徐々に変化するグラデュエーション表示ができる。グラデュエーションの作用により非常に見栄えのよい表示となる。
【００３３】
次に効果を説明する。実施例１の可変表示構造にあっては、下記に列挙する効果を得ることができる。
【００３４】
(1)透光性のあるシート１０ｅに波長の異なる光を切り換えて投光させ、第１表示と第２表示を行わせる可変表示構造であって、シート１０ｅに施された、第１透過帯域の光源の波長を透過させる第１印刷部分１０ａと、シート１０ｅに施された、第１透過帯域と帯域が重複しない第２透過帯域の光源の波長を透過させる第２印刷部分１０ｂと、シート１０ｅに施された、第１透過帯域と第２透過帯域の光源の波長を透過させない背景印刷部分１０ｄと、第１表示と第２表示の重複する部分と重なる部分で、第１透過帯域と第２透過帯域の光源の光を抑制して輝度及び色度を調整する調光印刷部分１０ｃと、第１透過帯域の波長で、且つ波長が異なる複数の発光を行なう第１光源３ａ及び第３光源３ｂと、第２透過帯域の波長で、且つ波長が異なる複数の発光を行なう第２光源４ａ及び第４光源４ｂを備えたため、表示を行いながら、色の変化により状態変化を表示できる。
【００３５】
(2)第１光源３ａと第３光源３ｂ、又は第２光源４ａと第４光源４ｂの発光は、同じ透過帯域の波長で、且つ互いの波長が異なる複数の光源を同時に発光させるものであるため、それぞれの発光色に加えて、グラデーション表示を行うことができ、見栄えの向上もしくは、第３の発光色による表示としてさらなる色の変化により状態変化を表示できる。
【００３６】
(3)光源は、それぞれの透過帯域に属する発光で、且つ波長を変更して発光するものであるため、より小型化の可能な構成により、第１表示と第２表示の切り替え、及び色の変化により状態変化を表示を行うことができる。
【００３７】
以上、本発明の可変表示構造を実施例１に基づき説明してきたが、具体的な構成については、これらの実施例に限られるものではなく、特許請求の範囲の各請求項に係る発明の要旨を逸脱しない限り、設計の変更や追加等は許容される。
第１表示、第２表示の色は他の色であってもよい。
第１印刷部分、第２印刷部分、背景印刷部、調光印刷部、拡散印刷部のシートへの印刷は、シルク印刷、凸版印刷、インクジェット印刷、熱転写印刷があり、いずれの印刷によるものでもよい。また、他の印刷によるものであってもよい。
調光印刷部は、輝度調整のために、黒点を所定密度で設けるものであってもよい。
【図面の簡単な説明】
【００３８】
【図１】実施例１の可変表示構造を示す断面図である。
【図２】実施例１の可変表示構造のカラーフィルタの正面図である。
【図３】図２のＡ−Ａ断面図である。
【図４】実施例１の可変表示構造の第１表示と第２表示を示す説明図である。
【図５】実施例１の可変表示構造の第１印刷部分、第２印刷部分の特性と各光源の波長との関係を示す説明図である。
【図６】実施例１の可変表示構造の第１表示と第２表示及び表示色の変化状態を示す説明図である。
【図７】実施例１の可変表示構造の応用例を示す説明図である。
【図８】実施例１の可変表示構造におけるグラデュエーション表示の説明図である。
【符号の説明】
【００３９】
１  スイッチ
２  スイッチフィニッシャ
３ａ  第１光源
３ｂ  第３光源
４ａ  第２光源
４ｂ  第４光源
５  タクトスイッチ
６  基板
７  ガイドハウジング
８  スライダ
８ａ  係合部
１０  カラーフィルタ
１０  拡散印刷部
１０ａ  第１印刷部分
１０ｂ  第２印刷部分
１０ｃ  調光印刷部分
１０ｄ  背景印刷部分
１０ｅ  シート
１１  スモークレンズ
１２  第１表示
１３  第２表示
２１〜２７  線
【図１】
0004712476.tif 000002
【図２】
0004712476.tif 000003
【図３】
0004712476.tif 000004
【図４】
0004712476.tif 000005
【図５】
0004712476.tif 000006
【図６】
0004712476.tif 000007
【図７】
0004712476.tif 000008
【図８】
0004712476.tif 000009